(57)【要約】【課題】電子会議システムにおいて、画像取り込みを行っても効率よく会議進行が可能な情報表示装置を提供する。【解決手段】この情報表示装置は、電子会議システム用に利用可能な表示装置を有し、画像入力装置の接続により、接続が検出された前記画像入力装置から画像データを入力し、前記入力された画像データの一覧を前記表示装置にサムネイル表示し、一覧の中から選択された画像データを、電子会議システム内に取り込む処理を行うようにしたものである。【選択図】図２
2009003692.tif 000002
【特許請求の範囲】
【請求項１】
表示手段と、画像データを入力する画像入力手段と、前記画像入力手段で入力した画像データの一覧を前記表示手段にサムネイル表示し、一覧の中から選択させる画像選択手段と、前記画像選択手段により選択された画像データを取り込む処理を行う画像入力制御手段と、を備えたことを特徴とする情報表示装置。
【請求項２】
電子会議システム用に利用可能な表示装置を有し、画像入力装置の接続が検知されたときに、前記画像入力装置から画像データを入力する画像入力手段と、前記画像入力手段で入力された画像データの一覧を前記表示装置にサムネイル表示し、一覧の中から選択させる画像選択手段と、前記画像選択手段により選択された画像データを、電子会議システム内に取り込む処理を行う画像入力制御手段と、を備えることを特徴とする情報表示装置。
【請求項３】
請求項１または２に記載の情報表示装置において、前記サムネイルの一覧から指定されたサムネイルを回転させて置き換える画像回転手段を備え、前記画像回転手段でサムネイルが回転された場合、前記画像選択手段が該サムネイルに対応する画像データも同様に回転させ、前記画像入力制御手段が該回転された画像データを電子会議システム内に取り込む処理を行うことを特徴とする情報表示装置。
【請求項４】
請求項１、２または３に記載の情報表示装置において、前記画像選択手段では、移動・拡大・回転などの編集が可能な画像オブジェクトとして画像を取り込むか、固定された背景として表示するのみの背景オブジェクトとして画像を取り込むかを選択させ、前記画像入力制御手段は、前記画像選択手段で選択された画像データを画像取り込み方法により、電子会議システム内に取り込む処理を行うことを特徴とする情報表示装置。
【請求項５】
請求項１乃至４のいずれかに記載の情報表示装置において、前記画像入力制御手段は、前記画像入力手段で入力した画像データが１つの場合には、前記画像選択手段で画像データを選択することなく、該画像データを電子会議システム内に取り込む処理を行うことを特徴とする情報表示装置。
【請求項６】
請求項１乃至５のいずれかに記載の情報表示装置において、前記画像入力手段は、記憶媒体に記憶された電子データを読み取ることを特徴とする情報表示装置。
【請求項７】
請求項１乃至６のいずれかに記載の情報表示装置とスキャナ装置とを接続し、前記画像入力手段は、前記スキャナ装置から画像データを入力することを特徴とする表示システム。
【請求項８】
画像データを入力する画像入力ステップと、前記画像入力ステップで入力した画像データの一覧をサムネイル表示し、一覧の中から選択させる画像選択ステップと、前記画像選択ステップにより選択された画像データを取り込む処理を行う画像入力制御ステップと、を備えたことを特徴とする情報表示方法。
【発明の詳細な説明】
【技術分野】
【０００１】
本発明は、情報表示装置、表示システムおよび情報表示方法に関し、特に、ペン入力可能な大型表示画面を利用して情報表示する技術に関する。
【背景技術】
【０００２】
従来、ホワイトボードには、マーカーペンなどの筆記手段によりホワイトボード上に書き込まれた議事内容（イメージ情報）を光学的に走査して、得られたイメージ情報を感熱紙に印刷する印刷手段が備えられており、この印刷手段を用いて、会議終了後にホワイトボード上に書き込まれた議事内容（イメージ情報）を感熱紙に印刷し、さらに会議参加者への配布のためにそのコピーを配布したりしている。
【０００３】
また、従来のホワイトボードを利用した会議において、印刷された議事内容を報告書作成に再利用するためには、会議終了後、新たにワードプロセッサなどを用いて電子化する作業が必要である。
【０００４】
上記の問題点を解決するため、例えば、タッチペンのような入力手段を用いて大型ディスプレイ上に議事内容を自由な書式で直接的に書き込み、これらの議事内容を全て電子化することにより、会議終了後の文書管理、参加者への配布、そして内容の加工などが簡単に実行できる電子会議システムが提案されている（特許文献１）。
【０００５】
また、そのような電子会議システムにおいて、会議中に使用する資料を予め電子データとして作成しておき、ＰＣ（パーソナルコンピュータ）を介して大型ディスプレイに直接表示させる方法も提案されている（特許文献２）。
【特許文献１】特開２０００−５６７４７号公報
【特許文献２】特開２００３−１６０８８号公報
【発明の開示】
【発明が解決しようとする課題】
【０００６】
ところで、大型表示画面を用いた電子会議システムにおいて、参加者が仮想的なホワイトボードとして使用可能な表示画面にペン入力を行いながら会議を行なっている最中に、画像データを追加入力する作業の効率が悪かった。
例えば、ユーザが複数頁からなる原稿の中から、一枚、一枚、必要な原稿だけを抜き取って、画像を入力する方法であると、抜き取りの作業や、抜き取った原稿をもとに戻す作業が必要なため、非常に作業効率が悪い。
【０００７】
本発明は、上述の実情を考慮してなされたものであって、電子会議システムにおいて、画像取り込みを行っても効率よく会議進行が可能な情報表示装置、表示システムおよび情報表示方法を提供することを目的とする。
【課題を解決するための手段】
【０００８】
上記の課題を解決するために、本発明の情報表示装置は、次のような構成とする。
情報表示装置は、表示手段と、画像データを入力する画像入力手段と、前記画像入力手段で入力した画像データの一覧を前記表示手段にサムネイル表示し、一覧の中から選択させる画像選択手段と、前記画像選択手段により選択された画像データを取り込む処理を行う画像入力制御手段と、を備えている。
【０００９】
あるいは、情報表示装置は、電子会議システム用に利用可能な表示装置を有し、画像入力装置の接続を検出しており、接続が検出されると画像入力制御手段は、次のように動作する。
まず、画像入力手段により、接続が検出された前記画像入力装置から画像データを入力し、画像選択手段により、前記画像入力手段で入力した画像データの一覧を前記表示装置にサムネイル表示し、一覧の中から選択させる。
そして、前記画像選択手段により選択された画像データを、電子会議システム内に取り込む処理を行う。
【００１０】
ここで、前記サムネイルの一覧から指定されたサムネイルを画像回転手段により回転させた場合、該サムネイルに対応する画像データも同様に回転させ、該回転された画像データを電子会議システム内に取り込む処理を行う。
【００１１】
また、前記画像選択手段では、移動・拡大・回転などの編集が可能な画像オブジェクトとして画像を取り込むか、固定された背景として表示するのみの背景オブジェクトとして画像を取り込むかを選択させ、選択された画像データを画像取り込み方法により、電子会議システム内に取り込む処理を行う。
【００１２】
尚、前記画像入力制御手段は、前記画像入力手段により入力された画像データが１つの場合には、前記画像選択手段で画像データを選択することなく、該画像データを電子会議システム内に取り込む処理を行うとしても良い。
さらに、前記画像入力装置を、スキャナ装置、カメラ、ビデオカメラ、携帯電話、記憶媒体等で構成し、前記画像入力手段により、これら画像入力装置に記憶されている電子データ、あるいは、原稿を読み取るようにしても良い。
【００１３】
また、上述した構成の情報表示装置の各手段（画像入力制御手段、画像入力手段、画像選択手段）として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１４】
本発明によれば、電子会議システムにおいて、会議進行であっても、効率のよい画像取り込みが可能となる。
即ち、会議中の表示画面に画像データを追加する際に、複数頁からなる原稿の場合、一旦、画像入力装置で全て読み取らせた後に、ユーザが必要な画像データのみを選択できるので、入力操作の操作性が向上する。
【発明を実施するための最良の形態】
【００１５】
以下、図面を参照して本発明に係る好適な実施形態について説明する。
【００１６】
本発明は、表示装置と情報処理装置とで構成される情報表示装置に関し、この情報表示装置では、参加者が仮想的なホワイトボードとして使用可能なタッチパネル付大型表示画面にペン入力を行いながら会議を行う電子会議システムが動作可能であるとする。
【００１７】
図１は、情報表示装置の構成を表すブロック図であり、同図において、情報表示装置１００は、タッチパネル付表示装置１０、入力部２０、情報処理装置３０および画像入力装置４０とからなっている。情報表示装置１００においては、タッチパネル付表示装置１０と情報処理装置３０とは、別装置で構成しても、一体型の装置であっても構わない。
【００１８】
タッチパネル付表示装置１０は、タッチパネル付きの大型液晶ディスプレイ等からなる画像表示部１１、入力部２０によるタッチパネルへの接触状況を監視する接触監視部１２とからなっている。
画像表示部１１は、情報処理装置３０からインタフェース（図示しない）を介して受信した画像データを大型表示画面に表示する。
接触監視部１２は、入力部２０によるタッチパネルへの接触とその接触位置等を監視し、インタフェース（図示しない）を介して、監視結果（接触状況と接触位置等）を情報処理装置３０へ送信する。
入力部２０は、電子ペン等のポインティングデバイスであり、タッチパネルに接触可能なものであれば、人間の指やペンや棒等であっても構わない。
【００１９】
情報処理装置３０は、当該装置３０の全体を制御する主制御部３１、記憶部３２、画像生成部３３、インタフェース部３４から構成されている。
主制御部３１は、当該装置３０の全体を制御するとともに、接触監視部１２から送られてきた監視結果を受け取り、接触位置に描画する命令を画像生成部３３に送る、あるいは、接触位置でのポインティング動作を電子会議システムに行わせる。
【００２０】
記憶部３２は、例えば、ＲＡＭ（Random Access Memory）やＲＯＭ（Read Only Memory）、ＨＤＤ（Hard Disk Drive）などで構成され、主制御部３１で実行される制御プログラム、各種アプリケーションプログラムやデータを格納したり、制御プログラムや各種アプリケーションプログラムが実行時に一時的にデータを格納する。
【００２１】
画像生成部３３は、主制御部３１から受け取った描画命令により、表示画像を生成し、インタフェース（図示しない）を介して画像表示部１１へ送られて、大型表示画面に描画結果が表示される。
インタフェース部３４は、画像入力装置４０と情報処理装置３０とを接続するためのインタフェースである。例えば、画像入力装置４０は、スキャナ、携帯電話、カメラ、ビデオカメラ、ＰＤＡ（Personal Digital Assistant）、ＰＣ（Personal Computer）、フラッシュメモリ等の外部記憶装置のいずれであっても構わず、その接続方法も、ＵＳＢ（Universal Serial Bus）接続、短距離無線通信（赤外線通信、Ｂｌｕｅｔｏｏｔｈ（登録商標）、Ｚｉｇｂｅｅ等）、シリアル接続、ネットワーク接続等のいずれであっても構わない。
画像入力装置４０がインタフェース部３４を介して情報処理装置３０に接続されると、接続イベントが主制御部３１に送られる。
【００２２】
図２は、本実施形態に係る情報処理装置３０の機能構成を示すブロック図である。同図において、情報処理装置３０は、画像入力制御部５１、画像入力部５２、画像記憶部５３、画像選択部５４、サムネイル作成部５５、画像回転部５６を含んで構成される。これらの画像入力制御部５１、画像入力部５２、画像選択部５４、サムネイル作成部５５、画像回転部５６は、プログラムで構成され、記憶部３２からＲＡＭのようなメモリにロードされて主制御部３１のＣＰＵ（Central Processing Unit）によって実行されて、その機能を達成する。
画像記憶部５３は、記憶部３２内に構成され、画像入力装置４０から取り込んだ画像を記憶する。例えば、フラッシュメモリのような外部記憶部から画像データ以外のデータ（テキストデータ等）を取り込んだとしても、この画像記憶部５３に記憶される。
【００２３】
画像入力制御部５１は、主制御部３１から画像入力装置４０が接続したというイベントを受け取ると、接続された画像入力装置４０の種類に応じた画像入力部５２を起動する。
【００２４】
画像入力部５２は、インタフェース部３４を介して、画像入力装置４０から画像データを受信し、特定名あるいは日時情報による名前のフォルダ（作業フォルダ）を記憶部３２に生成する。この作業フォルダを画像記憶部５３とし、取り込んだデータを日時情報と順番号によるファイル名で画像記憶部５３に記録する。
ここで、画像入力部５２は、画像入力装置４０から取り込まれるデータの場所が一意に定まらないときには、データ指示ダイアログを表示させて、ユーザにデータの場所を指定させる。
【００２５】
画像入力制御部５１は、画像入力部５２によってデータの取り込みが完了すると、電子会議システムのモードを参照し、ホワイトボードモードに設定されており、取り込んだデータが画像データである場合についてのみ、画像選択部５４を起動する。
また、画像入力制御部５１は、電子会議システムのモードが透明ボードモードやボードＯＦＦモードの場合、もしくは、モードはホワイトボードモードであるが、取り込んだデータが画像でないデータ（テキストデータ等）であった場合、あるいは、電子会議システムへの取り込みをキャンセルした場合は、取り込んだデータの一覧を表示する。
【００２６】
尚、ホワイトボードモードで、画像入力部５２によって読み取られたデータが画像データであり、１もしくは２，３枚の場合には、ダイアログを表示させることなく、ダイレクトに読み取った画像データを電子会議システム内に取り込むようにしても良い。ここで、１度に取り込む画像データの数は、画像表示部１１の画面に１度に表示可能な数から予め決めておく。
【００２７】
ここで、電子会議システムのモードは、図３に示すように次の３種類がある。
（Ａ）ホワイトボードモード：
このホワイトボードモードは、画像表示部１１上に擬似的なホワイトボード環境を作り出し、入力部２０により、通常の会議などと同様に手書きで文字を書き込んだり、図形や直線を書き込んだり、参考資料として画像ファイルを取り込んだり、といった用途に用いる。
【００２８】
（Ｂ）透明ボードモード（基本モード）：
透明ボードモードは、画像表示部１１上にアプリケーションのデータをそのまま表示させ、その上に共通の理解を促進するための書き込みなどを入力部２０により行うといった用途に用いる。
【００２９】
（Ｃ）ボードＯＦＦモード：
ボードＯＦＦモードは、画像表示部１１上に手書きなどを行わずアプリケーションを操作する用途に用いる。
【００３０】
画像選択部５４は、画像入力制御部５１から起動されると、次の動作を行って、選択された画像データを画像入力制御部５１に引き渡す。
【００３１】
（１）サムネイル作成部５５を起動し、画像記憶部５３に記憶されている画像データのサムネイルを作成し、読み込んだ画像データとそのサムネイルとを対応付けて、画像記憶部５３に記憶する。ここで、サムネイル作成部５５は、公知の技術によって構成可能である。
【００３２】
（２）作成されたサムネイルを用いて、画像取り込みダイアログを画像表示部１１に表示させ、入力部２０によりユーザが行う指示を処理する。
この画像取り込みダイアログは、例えば、図４に示すような形式である。
【００３３】
図４において、各画像データは、そのサムネイル２００、チェックボックス２０１、回転ボタン２０２の３つ組みとして表示される。このチェックボックス２０１は、取り込みたい画像を選択するのに使われる。
回転ボタン２０２は、サムネイルを回転表示させるのに使われる。クリックする毎に画像回転部５６が起動され、サムネイルを９０度回転（回転方向は予め決めておく。）させて再表示させるとともに、画像記憶部５３に記憶されたサムネイルを、回転させたサムネイルで更新するとともに、この回転角の累積角度をサムネイルと対応付けて画像記憶部５３に記憶する。この回転角の累積角度は、電子会議システム内への取り込み時に、画像データを回転させる角度として用いられる。ここで、画像回転部５６は、公知の技術によって構成可能である。
【００３４】
また、シートへの取り込み方法ラジオボタン２０３は、画像を移動・拡大・回転可能な画像オブジェクトとして取り込むか、オブジェクトとしての操作が不可能な背景オブジェクトとして取り込むかを決定するのに使われる。
【００３５】
すべて選択ボタン２０４は、すべての画像を選択するのに使われる。すべて選択ボタン２０４を押下すると、すべての画像のチェックボックス２０１が一括で選択状態に設定される。
すべてクリアボタン２０５は、すべての画像を非選択にするのに使われる。すべてクリアボタン２０５を押下すると、取り込み設定された画像のチェックボックスを外すことができる。
【００３６】
また、実行ボタン２０６は、取り込まれた画像データを電子会議システム内に取り込む処理を実行させるのに使われる。
また、キャンセルボタン２０７は、取り込まれた画像データを電子会議システム内に取り込まないようにするのに使われる。
画像データを取り込む処理として、例えば、ファイルとして保存させる項目を追加してもよい。
【００３７】
ユーザが上記の設定を行って、実行ボタン２０６を押下すると、画像選択部５４は、当該ダイアログで選択された画像データに対し、指定された回転処理を行った後、選択された画像とその取り込み方（画像オブジェクトもしくは背景オブジェクト）と実行フラグを画像入力制御部５１へ戻す。
また、ユーザがキャンセルボタン２０７を押下すると、画像選択部５４は、キャンセルフラグを画像入力制御部５１へ戻す。
【００３８】
画像入力制御部５１では、実行フラグのときには、取り込み方に応じて、画像オブジェクトもしくは背景オブジェクトとして、渡された画像データを電子会議システム内に取り込む処理を実行する。
また、画像入力制御部５１では、キャンセルフラグのときには、取り込まれた画像データは、電子会議システム内へ渡されず、画像表示部１１にデータ一覧として表示される。
【００３９】
次に、図５のフローチャートを用いて、画像の取り込み時の動作について説明する。
主制御部３１が、画像入力装置４０（スキャナや赤外線受信や外部メディア挿入時）の接続イベントを確認すると、接続イベントが画像入力制御部５１に渡され（ステップＳ１／ＹＥＳ）、画像入力制御部５１は画像入力部５２を起動して、画像入力装置４０から画像データを取り込んで、画像記憶部５３に記憶する（ステップＳ２）。
例えば、図６（Ａ）のように、ユーザは、取り込みたい原稿を画像入力装置４０（スキャナ）にセットすると、読み取られた原稿の画像データが画像記憶部５３に記憶される。
【００４０】
画像の取り込みが完了すると、画像入力制御部５１は現在表示されている電子会議システムのモードを確認し、ホワイトボードモードの場合（ステップＳ３／ＹＥＳ）、画像記憶部５３に記録されたデータが画像データであった場合（ステップＳ５／ＹＥＳ）、画像選択部５４を起動して、画像選択部５４は、図６（Ｂ）のように図４の画像取り込みダイアログ２１０を表示する（ステップＳ６）。
ユーザは、このダイアログに対して、電子会議システム内に取り込む画像データの回転や選択を行う。
【００４１】
ユーザが実行ボタンを押下すると、画像選択部５４は、ダイアログで選択された画像に対し、指定された回転処理を行った後、選択された画像とその取り込み方（画像オブジェクトもしくは背景オブジェクト）を画像入力制御部５１へ戻し、画像入力制御部５１では、取り込み方に応じて、画像オブジェクトもしくは背景オブジェクトとして、渡された画像データを電子会議システム内に取り込む処理を実行し（ステップＳ７）、次の画像取り込みのイベント処理を行うためにステップＳ１へ戻る。
電子会議システムに取り込まれた画像データは、図６（Ｃ）に示すように、画像表示部１１に画像２１１のように表示される。
【００４２】
また、電子会議システムのモードが透明ボードモードやボードＯＦＦモードの場合、もしくは、モードはホワイトボードモードであるが、取り込んだデータが画像でないデータ（テキストデータ等）であった場合は（ステップＳ３／ＹＥＳ，Ｓ５／ＮＯ）、取り込んだデータの一覧を表示し（ステップＳ４)、次の画像取り込みのイベント処理を行うためにステップＳ１へ戻る。
【００４３】
また、図６のように、電子会議システムのモードがホワイトボードモードで、読み取ったデータが１枚もしくは、２，３枚だけの場合は、ダイアログを表示させることなく、ダイレクトに読み取った画像データを画像オブジェクトとして電子会議システム内に取り込むようにしても良い。
【００４４】
尚、本発明は上述した実施形態に限定されず、本発明の要旨を逸脱しない範囲内で各種の変形、修正が可能であるのは勿論である。例えば、上述した実施形態を構成する情報処理装置の各部（画像入力制御部、画像入力部、画像選択部）として、コンピュータを機能させるプログラムを作成し、予め記録媒体に書き込んでおき、この記録媒体に記録されたこれらのプログラムを当該装置に備えられたメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
また、上記プログラムは、そのプログラムの指示に基づき、オペレーティングシステムあるいは他のアプリケーションプログラム等と共同して処理することによって上述した実施形態の機能が実現される場合も含まれる。
【００４５】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００４６】
【図１】情報表示装置の構成を表すブロック図である。
【図２】実施形態に係る情報処理装置の機能構成を示すブロック図である。
【図３】電子会議システムのモードの違いを説明した図である。
【図４】電子会議システムがホワイトボードモードの際の、画像取り込みダイアログの例である。
【図５】画像の取り込み時の動作について説明するフローチャートである。
【図６】電子会議システムがホワイトボードモードの際の、画像取り込み方法について説明した図である。
【符号の説明】
【００４７】
１００…情報表示装置、１０…タッチパネル付表示装置、１１…画像表示部、１２…接触監視部、２０…入力部、３０…情報処理装置、３１…主制御部、３２…記憶部、３３…画像生成部、３４…インタフェース部、４０…画像入力装置、５１…画像入力制御部、５２…画像入力部、５３…画像記憶部、５４…画像選択部、５５…サムネイル作成部、５６…画像回転部、２００…サムネイル、２０１…チェックボックス、２０２…回転ボタン、２０３…シートへの取り込み方法ラジオボタン、２０４…すべて選択ボタン、２０５…すべてクリアボタン、２０６…実行ボタン、２０７…キャンセルボタン、２１０…画像取り込みダイアログ、２１１…取り込んだ画像。
【図１】
2009003692.tif 000003
【図２】
2009003692.tif 000004
【図３】
2009003692.tif 000005
【図４】
2009003692.tif 000006
【図５】
2009003692.tif 000007
【図６】
2009003692.tif 000008